(57)【要約】【目的】基板同士を容易に着脱できるとともに、基板ケースから基板だけを容易に分離できて、しかも保安性の高い基板ケースを提供する。【構成】上ケース半体及び下ケース半体からなる基板ケース体は基板をこの内部に収容する。上ケース半体の側壁端部のハーネス通過部と、下ケース半体の側壁端部のハーネス通過部とによってハーネス通過開口を形成する。このハーネス通過開口と基板ケース内の基板とをよぎる直線に交差するように伸びる隔壁を有する。【選択図】図４
2006198317.tif 000002
【特許請求の範囲】
【請求項１】
基板の表面側及び裏面側から前記基板を挟み込むように互いに結合して前記基板を囲繞する上ケース半体及び下ケース半体からなる基板ケース体であって、
前記上ケース半体は上面壁及びこれを包囲するように前記上面壁の周辺端部から連続的に屈曲成形された側壁を有し、前記側壁はその端部に第１の切り取り部を有しており、
前記下ケース半体は下面壁及びこれを包囲するように前記下面壁の周辺端部から連続的に屈曲成形された側壁を有し、前記側壁はその端部に第２の切り取り部を有しており、
前記上ケース半体の側壁が前記下ケース半体の側壁の外側から対向する結合状態において、前記第１の切り取り部と前記第２の切り取り部とが重なり合ってハーネス通過開口を形成し、前記ハーネス通過開口と前記基板とをよぎる直線に交差するように伸びる隔壁を有することを特徴とする基板ケース体。
【請求項２】
前記隔壁は前記第２の切り取り部を有する側壁に対向するように前記下ケース半体の前記下面壁に設けられていることを特徴とする請求項１記載の基板ケース体。
【請求項３】
前記下面壁から前記隔壁の端部までの長さは、前記下面壁から前記第２の切り取り部の底部までの長さよりも大であることを特徴とする請求項２記載の基板ケース体。
【請求項４】
前記隔壁は、前記上ケース半体及び前記下ケース半体の結合状態において互いに対向する第１隔壁及び第２隔壁からなり、前記第１隔壁は前記上ケース半体の前記上面壁に植設されており、前記第２隔壁は前記下ケース半体の前記下面壁に植設されていることを特徴とする請求項１記載の基板ケース体。
【請求項５】
前記第１隔壁は、前記上ケース半体及び前記下ケース半体の結合状態において前記第２隔壁と前記第１及び第２の切り取り部との間に位置していることを特徴とする請求項４記載の基板ケース体。
【請求項６】
前記第２隔壁は前記下ケース半体の前記下面壁及び前記側壁に接続して、前記結合状態において前記第１隔壁の側面端部を包囲することを特徴とする請求項５記載の基板ケース体。
【発明の詳細な説明】
【技術分野】
【０００１】
本発明は、スロットマシンやパチンコ機等の遊技機の内部に基板を収納するための基板ケース体の構造に関する。
【背景技術】
【０００２】
スロットマシンやパチンコ機などの遊技機の内部には、遊技動作を制御するためのメイン基板や、メイン基板から受けた信号に従って遊技動作表示部の図柄を制御したり、ランプを制御するサブ基板などが収納されている。サブ基板は、遊技機のメンテナンス時やバージョンアップ時に交換されることがあるため、メイン基板からの着脱が自在となるように遊技機の内部に収納されている。例えば、メイン基板及びサブ基板の上にはコネクタが設けられていて、このコネクタと組をなすコネクタをその両端部に有するワイヤーハーネスによって、メイン基板及びサブ基板が電気的に接続される。遊技機のメンテナンス時やバージョンアップ時においては、ワイヤーハーネスのコネクタと基板上のコネクタとをはずして、サブ基板をメイン基板から分離することが可能なのである。
【０００３】
ところで、遊技機業界特有の事情として、メイン基板若しくはサブ基板を不正に細工して遊技機の動作を不正に操作しようとする行為についての対策を施す必要がある。例えば、メイン基板及びサブ基板は、個々に基板ケースの内部に収容されていて、基板ケースの外部から内部の基板に容易に接触できないようになっている。基板ケースの内部にあるメイン基板若しくはサブ基板は、例えば基板ケース上に設けられたコネクタを介してワイヤーハーネスによって電気的に接続されているのである。
【０００４】
ここで、特許文献１では、サブ基板上にコネクタを設置して、基板ケースにはこのコネクタに対応した矩形のコネクタ通過孔を形成して、コネクタの端部を基板ケースの外側に露出させた基板ケース及び基板が開示されている。メイン基板とサブ基板との接続は、基板ケースの外部に露出したコネクタ同士をワイヤーハーネスによって電気的に接続して行われる。また、特許文献２では、サブ基板としてのコントロール基板上にコネクタを設けることなく、ワイヤーハーネスの一端部を直接、コントロール基板上に固定して、コネクタを有する他端部をケースの穴を介して外部に引き出した基板ケース及び基板が開示されている。ワイヤーハーネスの端部のコネクタは、メイン基板をその内部に収容する総合基板ボックスの外部に設けられたコネクタに接続される。
【特許文献１】特開２０００−０７０５２０
【特許文献２】特開２００１−５８０３３
【発明の開示】
【発明が解決しようとする課題】
【０００５】
メイン基板若しくはサブ基板に接続したコネクタの端部が基板ケースの外部に露出していると、基板上のコネクタとワイヤーハーネスの端部のコネクタとの接続部に不正に信号を改変するための回路基板などを間挿されてしまうおそれがある。一方で、基板ケースの穴を通してワイヤーハーネスを基板に固定した場合にあっては、基板を基板ケースと分離するような場合に基板からワイヤーハーネスを取り外さなければならず、非常に煩雑である。また、ワイヤーハーネスを基板から取り外さなくとも、ワイヤーハーネスの基板固定側と反対側の端部を基板ケースの穴を通過させて基板と基板ケースとを分離することもできる。しかしながら、基板ケースの穴がワイヤーハーネスに取り付けられたコネクタの大きさよりも大でなければならないことから、この穴から基板ケース内の基板に接触されてしまうおそれがある。
【０００６】
本発明は、上記した如き背景、特に遊技機業界の事情を鑑みてなされたものであって、基板同士を容易に電気的に接続・分離できるとともに、基板ケースから基板だけを容易に分離できて、しかも保安性の高い基板ケースを提供することを目的としている。
【発明を解決するための手段】
【０００７】
本発明による基板ケース体は、基板の表面側及び裏面側から前記基板を挟み込むように互いに結合して前記基板を囲繞する上ケース半体及び下ケース半体からなる基板ケース体であって、前記上ケース半体は上面壁及びこれを包囲するように前記上面壁の周辺端部から連続的に屈曲成形された側壁を有し、前記側壁はその端部に第１の切り取り部を有しており、前記下ケース半体は下面壁及びこれを包囲するように前記下面壁の周辺端部から連続的に屈曲成形された側壁を有し、前記側壁はその端部に第２の切り取り部を有しており、前記上ケース半体の側壁が前記下ケース半体の側壁の外側から対向する結合状態において、前記第１の切り取り部と前記第２の切り取り部とが重なり合ってハーネス通過開口を形成し、前記ハーネス通過開口と前記基板とをよぎる直線に交差するように伸びる隔壁を有することを特徴とする。
【発明を実施するための形態】
【０００８】
本発明の１つの実施例による基板ケース１０及びその付属物について構造を説明する。
【０００９】
図１に示すように、基板ケース１０は、一対の上ケース半体２１と下ケース半体３１とからなる箱体である。上ケース半体２１は、下ケース半体３１の上からこれに覆い被さって一組の基板ケース１０をなす。基板４１は、下ケース半体２１及び上ケース半体３１の間に挟み込まれるようにして収容される。基板４１と電気的に接続されたワイヤーハーネス５１は、基板ケース１０の外側へ上ケース半体２１及び下ケース半体３１の間から引き出される。このように上ケース半体２１又は下ケース半体３１に貫通孔を設けてワイヤーハーネスを基板ケース１０の外側に導くものではないため、上ケース半体２１と下ケース半体３１を分離するだけで基板ケース１０とワイヤーハーネス５１とを容易に分離することが出来るのである。この詳細については後述する。基板ケース１０の外側へ引き出されたワイヤーハーネス５１の端部にはコネクタ５２が固着されている。コネクタ５２は、図示しないメイン基板に植設されたコネクタに嵌合自在であって、メイン基板と基板４１とを着脱自在に電気的に接続することができる。
【００１０】
更に、図１及び図２に示すように、上ケース半体２１は、略長方形の上板（上面壁）２１ａと、上板２１ａの周縁部から連続して垂下して形成された４つの連続した略長方形の側面板（側壁）２１ｂ１、２１ｂ２、２１ｂ３（図示せず）、２１ｂ４とからなる一体成形体である。なお、以下において、側面板２１ｂ１の長手方向を紙面に向かって左から右にＸ軸、側面板２１ｂ２の長手方向を紙面に向かって左から右にＹ軸、側面板２１ｂ１の高さ方向を紙面に向かって下から上にＺ軸とする各座標軸を定義する。
【００１１】
側面板２１ｂ１の垂下端部の中央部近傍、すなわち−Ｚ方向端部の中央部近傍には、開口部を−Ｚ方向へ向けた略矩形の切り取り部である上ケース半体側ハーネス通過部（第１の切り取り部）２２が形成されている。上ケース半体側ハーネス通過部２２から＋Ｙ方向に離間した位置には、側面板２１ｂ１と平行且つこれに対向するように、上板２１ａから−Ｚ方向へ向けて垂下する略直方体の押し込み板２３が形成されている。押し込み板（第１隔壁）２３の突出端部の中央近傍にはハーネス係止溝２３ａが形成されている。また、互いに対向する側面板２１ｂ２及び２１ｂ４のそれぞれの−Ｚ方向端部には、＋Ｙ方向に離間した位置に２つの干渉防止部２４を有している（特に、図１を参照されたい）。干渉防止部２４は開口部を−Ｚ方向に向けた略矩形の切り欠きである。干渉防止部２４の近傍には、上ケース半体２１を下ケース半体３１に固定するためのねじ穴２５が形成されている。
【００１２】
下ケース半体３１は、略長方形の下板３１ａと、下板（下面壁）３１ａの端部から連続的にＺ方向に直角に立ち上がって形成された４つの連続した略長方形の側面板（側壁）３１ｂ１、３１ｂ２、３１ｂ３（図示せず）、３１ｂ４とからなる一体成形体である。側面板３１ｂ１の＋Ｚ方向端部には開口部を＋Ｚ方向に向けた略矩形の切り欠きである下ケース半体側ハーネス通過部（第２の切り取り部）３２が形成されている。
【００１３】
下ケース半体側ハーネス通過部３２から＋Ｙ方向に離間した位置には、側面板３１ｂ１に平行且つこれに対向して、下板３１ａから＋Ｚ方向に向けて垂直に立ち上がる隔壁３３ａ１がある。なお隔壁３３ａ１の高さ、すなわち下板３１ａから＋Ｚ方向に伸びる長さは、下板３１ａから下ケース半体側ハーネス通過部３２までの長さ、すなわち下ケース半体側ハーネス通過部３２の下板３１ａに最も近接している部分までの長さである下ケース半体側ハーネス通過部３２の高さよりも長いことが好ましい。更に、下板３１ａから＋Ｚ方向に向けて側面板３１ｂ２及び３１ｂ４と対向して平行に立ち上がり、隔壁３３ａ１と側面板３１ｂ１とを連続的に接続する、互いに対向する隔壁３３ａ２及び３３ａ３が形成されている。ここで隔壁（第２隔壁）３３ａ１、３３ａ２、３３ａ３及び側面板３１ｂ１で囲まれた空間をハーネス収納空間３３とする。隔壁３３ａ２及び隔壁３３ａ３には、それぞれハーネス収納空間３３側に向けて開口し且つＺ軸と並行に伸張して且つ互いに対向するスライド溝３４ａ及び３４ｂが形成されている。
【００１４】
側面板３１ｂ２及び３１ｂ４からは、それぞれ＋Ｘ方向及び−Ｘ方向に向けて伸張する固定突起３５がそれぞれ側面板３１ｂ１及び３１ｂ３からＹ方向に離間した位置に２つずつ形成されている（特に、図１を参照されたい）。固定突起３５の中央部には、図示しない遊技機本体に基板ケース１０をねじ止めするための貫通穴が形成されている。固定突起３５の＋Ｚ方向近傍には上ケース半体２１を下ケース半体３１に固定するための貫通穴であるねじ穴３６が形成されている。下板３１ａには、基板４１を下板３１ａから離間させて固定するための基板取り付け用突起３７が立設されている。
【００１５】
基板４１は、略長方形の板状体である。４つの角部近傍には基板４１をねじで下ケース半体３１に固定するための貫通穴であるねじ穴４２が形成されている。基板４１上には、単数又は複数のコネクタ４３が植設されている。
【００１６】
特に図３を参照して、ワイヤーハーネス５１は、その一端部に、例えば、図示しないメイン基板上に植設されたコネクタに嵌合自在なコネクタ５２を有している。また、ワイヤーハーネス５１の他端部は、基板４１上のコネクタ４３に嵌合自在であるコネクタ５３を有している。
【００１７】
次に上記した本発明の１つの実施例による基板ケース１０の使用方法を図１乃至図４を参照しながら説明する。
【００１８】
下ケース半体３１の基板取り付け用突起３７の上に基板４１を載置して、ねじで基板４１を下ケース半体３１に固定する。ワイヤーハーネス５１のコネクタ５３を基板４１上のコネクタ４３に嵌合して接続する。ワイヤーハーネス５１をハーネス収納空間３３の上を通過するように配置して、ハーネス５１のコネクタ５２を基板ケース１０の外側に配置する。上ケース半体２１を下ケース半体３１に覆い被せるようにして組み合わせる。このときワイヤーハーネス５１は上ケース半体２１の押し込み板２３のハーネス係止溝２３ａ内に位置するようになされる。押し込み板２３の両端部をスライド溝３４ａ及び３４ｂに合わせて、これに摺動させながら上ケース半体２１を下ケース半体３１の下板３１ａに近接するように押し込む。押し込み板２３の側面端部は、上ケース半体２１と下ケース半体３１とが結合状態になったときに、隔壁３３ａ１、３３ａ２、３３ａ３によって包囲される。そして、このときハーネス５１は押し込み板２３のハーネス係止溝２３ａにガイドされている故、押し込み板２３の外側にずれることがない。また、押し込み板２３はハーネス収納空間３３の内部を進行するので、ハーネス５１がハーネス係止溝２３ａをずれたとしても大きくずれることはない。上ケース半体２１が下ケース半体３１に接近すると、最終的にハーネス５１は上ケース半体側ハーネス通過部２２及び下ケース半体側ハーネス通過部３２に上下方向から挟まれて、基板ケース１０の内部から外部に亘って延在することになる。
【００１９】
上ケース半体２１の４つの干渉防止部２４の内部には、下ケース半体３１の４つの固定突起３５の１つずつが位置する。このとき、押し込み板２３の端部は、基板４１よりも下板３１ａに近接している。この状態でねじ穴２５及び３６にねじ６１を貫挿して上ケース半体２１と下ケース半体３１とが一体に固定される。
【００２０】
上ケース半体２１及び下ケース半体３１が完全に組み合わせられたときにおいて、上ケース半体側ハーネス通過部２２及び下ケース半体側ハーネス通過部３２は上下（Ｚ軸）方向に離間して位置し、ハーネス通過開口を形成するのである。好ましくは、ハーネス通過開口の上下幅はワイヤーハーネスの厚さに等しくすると良い。かかる場合、ハーネス通過開口から工具の如き異物を挿入することは困難なのである。また、異物を挿入できたとしても、押し込み板２３及びハーネス収納空間３３の隔壁３３ａ１、３３ａ２、３３ａ３があって、異物が基板に到達することは出来ないのである。すなわち、ハーネス通過開口と基板４１とを結ぶ線上に障害物が設けられている故、ハーネス通過開口から基板４１には容易にアクセスすることが出来ないのである。
【００２１】
ここで、ワイヤーハーネス５１がある程度厚みを有するときハーネス収容空間３３内部でこれを屈曲せしめることが出来ない場合などがある。かかる場合においては押し込み板２３が無くとも、少なくとも隔壁３３ａ１がハーネス通過開口と基板４１をよぎる直線上に存在していることで、ハーネス通過開口から基板４１には容易にアクセスすることが出来ないのである。上述した如く、特に、隔壁３３ａ１の高さが下ケース半体側ハーネス通過部３２の高さよりも高いときにハーネス通過開口から基板４１には容易にアクセスすることが出来ないのである。
【００２２】
遊技機のメンテナンス時やバージョンアップ時においては、ねじ６１をはずして、上ケース半体２１を下ケース半体３１から分離することができる。また基板４１は下ケース半体３１に固定するためのねじをはずすだけで下ケース半体３１からワイヤーハーネス５１ごと分離できるのである。
【図面の簡単な説明】
【００２３】
【図１】本発明の実施例による基板ケース及び付属物の図である。
【図２】本発明の実施例による基板ケース及び付属物の部分分解図である。
【図３】本発明の実施例による基板ケース及び付属物の部分分解図である。
【図４】本発明の実施例による基板ケース及び付属物の要部の断面図である。
【符号の説明】
【００２４】
１０                基板ケース
２１                上ケース半体
２１ａ              上板（上面壁）
２１ｂ１、２１ｂ２、２１ｂ３、２１ｂ４       側面板（側壁）
２２                上ケース半体側ハーネス通過部（第１の切り取り部）
２３                押し込み板（第１隔壁）
２４                干渉防止部
２５、３６          ねじ穴
３１                下ケース半体
３１ａ              下板（下面壁）
３１ｂ１、３１ｂ２、３１ｂ３、３１ｂ４       側面板（側壁）
３２                下ケース半体側ハーネス通過部（第２の切り取り部）
３３                ハーネス収納空間
３３ａ１、３３ａ２、３３ａ３                 隔壁（第２隔壁）
３４ａ、３４ｂ      スライド溝
３５                固定突起
３７                基板取り付け用突起
４１                基板
４３、５２、５３    コネクタ
４２                ねじ穴
５１                ワイヤーハーネス
【図１】
2006198317.tif 000003
【図２】
2006198317.tif 000004
【図３】
2006198317.tif 000005
【図４】
2006198317.tif 000006